(57)【要約】【課題】容器に装着しないで持ち運ぶ際には嵩張らず便利であり、容器への装着作業或いは容器から取り外す作業が簡易であり、容器に装着した状態での見栄えが良好であり、しかも、良好な保温性を長期間維持することができる容器用保温カバーを提供する。【解決手段】前後に対向する前後両壁部３，４を有すると共に下端部が開口した袋状の保温カバー本体２と、保温カバー本体２の下端部開口２１を開閉する底壁部６とを備え、容器Ｂを保温カバー本体２の下端部開口２１から差し込んでその口部Ｂ１を口部挿通孔５３から上方に突出させるようにして容器Ｂに装着する構成であり、保温カバー本体２の上端部には前後両壁部３，４の間にヒートシールされたガセット部５が設けられており、ガセット部５と前壁部３並びにガセット部５と後壁部４のそれぞれのヒートシール部７の下端縁７１は上に凸の形状となっている。【選択図】図１
2007153357.tif 000002
【特許請求の範囲】
【請求項１】
発泡樹脂層を備えるシートで構成された容器用保温カバーであって、前後に対向する前後両壁部を有すると共に下端部が開口した袋状の保温カバー本体と、保温カバー本体の下端部開口を開閉する底壁部とを備え、保温カバー本体の上端部には容器の口部を挿通する口部挿通孔が形成されており、容器を保温カバー本体の下端部開口から差し込んでその口部を口部挿通孔から上方に突出させるようにして容器に装着する構成であり、保温カバー本体の上端部には前後両壁部の間にヒートシールされたガセット部が設けられており、ガセット部と前壁部並びにガセット部と後壁部のそれぞれのヒートシール部の下端縁は上に凸の形状となっていることを特徴とする容器用保温カバー。
【請求項２】
ヒートシール部は一定幅の帯状であることを特徴とする請求項１に記載の容器用保温カバー。
【請求項３】
ヒートシール部の下端縁は上に凸の曲線状であることを特徴とする請求項１又は２の何れかに記載の容器用保温カバー。
【発明の詳細な説明】
【技術分野】
【０００１】
本発明は、瓶やペットボトル等の容器に装着して容器の内容物を保温する容器用保温カバーに関する。
【背景技術】
【０００２】
従来、瓶やペットボトル等の容器に装着して使用される容器用保温カバーとしては、例えば、保温性を有する布等で形成されると共に上端部が開口した有底筒状の保温カバー本体と保温カバー本体の上端部開口縁全域に設けられた締付部材とを備えたものが知られている。
【０００３】
このような容器用保温カバーは、容器を容器用保温カバーの上端部開口から差し込んでその口部を上端部開口から上方に突出させ、紐等からなる締付部材にて上端部開口を締めて保温カバー本体の上端部開口部を容器の口部に密着させて容器に装着する構成であり、差し込んだ容器の内容物を保温するのに用いられるものである。
【０００４】
このような容器用保温カバーは、上端部が開口した有底筒状であるため、容器に装着する（使用する）際には保温カバー本体の上端部開口から容器を差し込むだけでよく、容器から取り外す際には保温カバー本体から容器を上方へ引き抜くだけよい。従って、容器への装着作業或いは容器から取り外す作業が簡易にできるものである。
【０００５】
しかしながら、上記の容器用保温カバーにあっては、容器に装着していないとき（使用していないとき）にも立体的な有底筒状の形状を維持している。このため、容器用保温カバーを容器に装着せずに持ち運ぶ際には嵩張って煩わしいという問題があった。
【０００６】
一方、上記とは別の容器用保温カバーとして、例えば保温性を有する樹脂製のシートからなる容器用保温カバーであって、左右方向に伸びる長方形状の胴壁部と胴壁部の上辺に連設される扇形状の肩壁部と胴壁部の下辺に連設される円形状の底壁部とを備えたものが公知である（下記特許文献１参照）。
【０００７】
このような容器用保温カバーは、容器への装着前の状態は展開された状態であるので、その胴壁部及び肩壁部を容器の胴部及び肩部に対しそれぞれ周方向に巻き付け、おのおのの左右両端部同士を面ファスナー等で接合し、筒状となった胴壁部の下端開口を底壁部にて閉塞することによって、容器に装着される。
【０００８】
即ち、容器用保温カバーは、容器に装着していないときには、展開状態であるので嵩張らず持ち運び等に便利である。しかしながら、容器に装着する際には、毎回、展開した形状から筒状の形状となるように組み立てなければならず、容器から取り外す際にも、毎回、展開しなければならない。従って、容器への装着作業或いは容器から取り外す作業が煩わしいという問題があった。
【０００９】
そこで、これらの問題を解消する一案としては、下端部が開口し上端部に容器の口部を挿通する口部挿通孔が形成された袋状の保温カバー本体を有するものが考えられる。この容器用保温カバーは、保温性を有するシートで構成され、保温カバー本体が前後に対向する前後両壁部を有し、前後両壁部の一方から延長するようにして底壁部を構成する。
【００１０】
このような容器用保温カバーは、袋状の保温カバー本体の下端部が開口し上端部には口部挿通孔が形成されているので、容器を保温カバー本体の下端部開口から差し込んでその口部を口部挿通孔から上方に突出させるようにすれば簡単に容器に装着できる。また、保温カバー本体の下端部開口から容器を下方へ引き抜けば簡単に容器から取り外すことができる。
【００１１】
しかも、保温カバー本体が前後に対向する前後両壁部を有するため、容器に装着していないときには、前後両壁部を前後に押圧することによって、前後両壁部が重なり合った偏平な形状とすることができる。従って、嵩張らず持ち運び等に便利である。
【特許文献１】特許第３５３１０４６号公報
【発明の開示】
【発明が解決しようとする課題】
【００１２】
しかしながら、上記従来の容器用保温カバーにあっては、容器用保温カバーを容器に装着すべく容器を保温カバー本体の下端部開口から差し込むと、前後両壁部それぞれの上端部が容器の肩部等に押し広げられ局部的に集中して引張り力を受ける。ところが、保温カバー本体の上端部は前後両壁部それぞれの上端部同士が互いにヒートシールされている。よって、前後両壁部は、この引張り力の作用により、局部的に屈曲した部分（例えばシワ等）が形成される。そうすると、容器用保温カバーを容器に装着した状態での見栄えが悪くなる。また、このような前後両壁部の局部的な屈曲が繰り返されると、前後両壁部が疲労により破れてしまう。そうすると、容器用保温カバーの保温性を損なってしまう。
【００１３】
そこで、本発明は、上記従来の問題に鑑みてなされ、容器に装着しないで持ち運ぶ際には嵩張らず便利であり、容器への装着作業或いは容器から取り外す作業が簡易であり、容器に装着した状態での見栄えが良好であり、しかも、良好な保温性を長期間維持することができる容器用保温カバーを提供することを課題とする。
【課題を解決するための手段】
【００１４】
本発明は、上記課題を解決すべくなされたものであり、本発明に係る容器用保温カバーは、発泡樹脂層を備えるシートで構成された容器用保温カバーであって、前後に対向する前後両壁部を有すると共に下端部が開口した袋状の保温カバー本体と、保温カバー本体の下端部開口を開閉する底壁部とを備え、保温カバー本体の上端部には容器の口部を挿通する口部挿通孔が形成されており、容器を保温カバー本体の下端部開口から差し込んでその口部を口部挿通孔から上方に突出させるようにして容器に装着する構成であり、保温カバー本体の上端部には前後両壁部の間にヒートシールされたガセット部が設けられており、ガセット部と前壁部並びにガセット部と後壁部のそれぞれのヒートシール部の下端縁は上に凸の形状となっていることを特徴とする。
【００１５】
該構成の容器用保温カバーにあっては、容器に装着していないときには、保温カバー本体の前後両壁部を前後に押圧するとガセット部が保温カバー本体の内側に屈曲するので、容器用保温カバーは立体的な形状を維持することなく偏平な形状となる。しかも、シートから構成されているので、例えば、折り曲げて小型化することも容易にできる。従って、例えば、折り曲げて小型化した容器用保温カバーを容器の肩部等に取り付けて販促用としての使い方もできる。
【００１６】
また、保温カバー本体が前後に対向する前後両壁部を有すると共に下端部が開口した袋状に構成されており、その上端部には容器の口部を挿通する口部挿通孔が形成されている。よって、容器用保温カバーを容器に装着する際には、容器を保温カバー本体の下端部開口から差し込んでその口部を口部挿通孔から上方に突出させればよい。また、容器用保温カバーを容器から取り外す際には、保温カバー本体の下端部開口から容器を下方に引き抜けばよい。
【００１７】
更に、保温カバー本体の下端部開口から容器を差し込むと、容器によって前後両壁部が前後に押し広げられる。これに伴って、保温カバー本体の内側に屈曲しているガセット部が引張り力を受けて前後に広がる。そうすると、前後両壁部に作用する引張り力は局部的に集中することなく分散されるので、前後両壁部は局部的に屈曲しにくく容器の形状に沿った形状となる。また、前後両壁部が局部的に屈曲しにくいと、当然、屈曲は繰り返されにくい。よって、前後両壁部は疲労しにくくなり破れにくい。
【００１８】
また、ヒートシール部は一定幅の帯状であることが好ましい。ヒートシール部は、例えば、左右両端側ほど上下方向に広く中央側ほど狭くなるように形成することも可能である。しかし、一定幅の帯状とすることにより、容器用保温カバーを容器に装着した状態でのヒートシール部が容器の形状に沿った滑らかな形状となる。よって、容器用保温カバーを容器に装着した状態での見栄えが更に良くなる。
【００１９】
更に、ヒートシール部の下端縁は上に凸の曲線状であることが好ましい。ヒートシール部の下端縁は、上に凸の段差形状や山形形状とすることもできる。しかし、上に凸の曲線状とすることにより、容器用保温カバーを容器に装着したときに、前後両壁部及びガセット部に作用する引張り力が局部的に集中することなく分散して作用する。従って、容器用保温カバーを容器に装着したときに生じる前後両壁部の局部的な屈曲が効果的に抑制され、より一層見栄えが良くなる。しかも、前後両壁部の局部的な屈曲が効果的に抑制されると、当然に前後両壁部の屈曲が繰り返されることも効果的に抑制されるため、前後両壁部がより一層破れにくくなる。
【発明の効果】
【００２０】
このように、本発明に係る容器用保温カバーにあっては、容器に装着しないときには立体的な形状ではなく偏平な形状とすることができるので、持ち運ぶ際に嵩張らず便利である。
【００２１】
また、容器用保温カバーを容器に装着する際には、容器を保温カバー本体の下端部開口から差し込んでその口部を口部挿通孔から上方に突出させるようにすればよく、容器から取り外す際には、保温カバー本体の下端部開口から容器を引き抜けばよいので、容器への装着作業或いは容器から取り外す作業を簡易にすることができる。
【００２２】
しかも、容器に装着した状態では、保温カバー本体の上端部において前後両壁部が局部的に屈曲した部分が生じにくいため、容器に装着した状態での見栄えを良くすることができる。更に、屈曲した部分が生じにくいと屈曲が繰り返されにくく、前後両壁部が疲労しにくくなるので、前後両壁部は破れにくい。従って、良好な保温性を長期間維持することができるという効果を奏する。
【発明を実施するための最良の形態】
【００２３】
以下、本発明に係る容器用保温カバーの一実施形態について図面を参酌しつつ説明する。
図１に、本実施形態における容器用保温カバー１が示されている。該容器用保温カバー１は、保温性を備えたシートＳで構成されている。このシートＳは、図２に示すように、ポリエステルやポリアミド等からなる合成樹脂フィルムＸにデザインや宣伝広告等のための文字や図柄等を示す印刷層Ｙを設け、このフィルムＸとポリエチレン系の発泡樹脂層Ｚとを積層した内面が断熱性を有する熱融着性樹脂シートであって、後述のように前後両壁部３，４、ガセット部５、及び底壁部６となる。尚、本実施形態では、印刷層Ｙは、フィルムＸと発泡樹脂層Ｚとの間に設けられているが、フィルムＸの外側に設けてもよい。
【００２４】
容器用保温カバー１は、下端部が開口した保温カバー本体２と保温カバー本体２の下端部開口２１を開閉する底壁部６とを備える。保温カバー本体２は、前後に対向する前後両壁部３，４とガセット部５とが袋状にヒートシールされて構成されている。具体的には、前後両壁部３，４は、それぞれ上下方向に長い略長方形状で、その上端縁３１，４１が上に凸の曲線状となっており、それぞれ一枚のシートＳから構成されている。前後両壁部３，４は、図３に示すように、それぞれ印刷層Ｙが外側となり発泡樹脂層Ｚが内側となるように前後に対向しており、左右両側部がそれぞれ一定幅にてヒートシールされている。尚、本説明でヒートシールした部分については、各図において網掛けにて示している。
【００２５】
ガセット部５は、一枚のシートＳから構成され、その前端縁５１が前方に凸となる曲線状であり、後端縁５２が後方に凸となる曲線状である。つまり、ガセット部５は、その前後方向の幅が左右両端側ほど狭く中央側ほど広くなっており、左右方向に伸びる中心線に対して略線対称の形状である。そして、ガセット部５の前後各端縁５１，５２の曲線形状は、図１に示すように、前後両壁部３，４の各上端縁３１，４１の曲線形状にそれぞれ略一致している。従って、ガセット部５の左右方向の長さは、前壁部３（或いは後壁部４）の左右方向の長さと略等しくなっている。また、ガセット部５の上面視略中央部（前後方向及び左右方向の略中央部）には、容器Ｂの口部Ｂ１を挿通することができる口部挿通孔５３が設けられている。尚、本実施形態では、口部挿通孔５３は丸孔であるが、多角形状の孔でもよいし、ガセット部５に十字に切込みを入れる等して形成される開閉自在な孔であってもよい。
【００２６】
ガセット部５は、図１及び図３に示すように、半折した状態で前後両壁部３，４の間に挟み込まれてヒートシールされている。具体的には、ガセット部５を構成するシートＳのフィルムＸが内側で対向するようにガセット部５の左右方向に伸びる中心線で上下に折り畳まれた状態で、ガセット部５の前端部５１が前壁部３の上端部３１に、ガセット部５の後端部５２が後壁部４の上端部４１にそれぞれ一定幅にてヒートシールされている。こうしてガセット部５は、前後両壁部３，４のそれぞれの上端部３１，４１の間に内側に屈曲可能に設けられ、屈曲して前後方向に縮んだ状態と屈曲せずに前後方向に広がった状態とを自在に取り得る構成となっている。
【００２７】
ここで、ガセット部５と前後両壁部３，４とがそれぞれヒートシールされることにより形成される前後両ヒートシール部７は、一定幅を有する帯状であり、ガセット部５の前後各端縁５１，５２（或いは前後両壁部３，４の各上端縁３１，４１）に沿った形状となっている。即ち、前後両ヒートシール部７は、上下方向に一定幅を有し、上に凸となるように上下方向に曲がった形状である。従って、その下端縁７１は上に凸の曲線状となっている。具体的には、この下端縁７１は、例えば、円弧状や放物状等のような上方に膨らむ滑らかな曲線形状である。
【００２８】
このように、保温カバー本体２は、前後両壁部３，４とガセット部５とがそれぞれヒートシールされることにより、下端部が開口した袋状に形成される。そして、保温カバー本体２は、ガセット部５が屈曲せずに前後方向に広がっているときには立体的な筒形状となり、屈曲して前後方向に縮んでいるときには偏平な形状となるように構成されている。
【００２９】
保温カバー本体２の下端部開口２１を開閉する底壁部６は、図１に示すように、底部６１と底部６１の外周に突設される糊代部６２と糊代部６２と対向するように底部６１の外周に突設される接合部６３とで構成されている。底部６１は略円形状であり、その外周の長さは前後両壁部３，４の左右方向の長さの和に略等しくなっている。底部６１の外周部６１ａの一部には、その径方向外側に向けて糊代部６２が突設されている。糊代部６２の左右方向の長さは、底部６１の径の長さよりも短くなっている。底部６１の糊代部６２が設けられている領域と対向する領域には、接合部６３が設けられている。接合部６３は左右方向に伸びる略長方形状で、その左右方向の長さは底部６１の径の長さより長く前後両壁部３，４の左右方向の長さと略等しくなっている。
【００３０】
底壁部６は、図３に示すように、二枚のシートＳ１，Ｓ２が前後に重ね合わされて構成されている。具体的には、底壁部６は、印刷層Ｙが外側となり発泡樹脂層Ｚが内側となるようにシートＳ１，Ｓ２が二枚重ねとなって構成され、底部６１の外周部６１ａ全域が一定幅にてヒートシールされると共に糊代部６２及び接合部６３の全域がヒートシールされて構成されている。尚、底壁部６は、一枚のシートＳで構成してもよい。但し、印刷層Ｙが外側となり発泡樹脂層Ｚが内側となるようにシートＳ１，Ｓ２を二枚重ねとして構成することにより、底壁部６の強度を向上させることができ、加えて、前側の印刷層Ｙによる宣伝効果等を得ることができるので好ましい。
【００３１】
底壁部６は、保温カバー本体２の下端部開口２１を開閉するように保温カバー本体２に連設されている。本実施形態では、底壁部６の後側のシートＳ１は後壁部４と共に一枚のシートＳにて構成されており、底壁部６の前側のシートＳ２は後壁部４側のシートＳにヒートシールされている。また、底壁部６は、接合部６３で前後方向に屈曲可能となっている。一方、糊代部６２には、その前面側全域に接着剤層８が設けられており、例えば、接着剤層８には離型紙（図示しない）が貼り付けられている。尚、底壁部６の後側のシートＳ１と後壁部４とを一枚のシートＳで構成するのではなく、底壁部６を保温カバー本体２とは別体として形成し、その底壁部６を後壁部４にヒートシール等して保温カバー本体２と接合してもよい。但し、底壁部６の後側のシートＳ１と後壁部４とを一枚のシートＳで構成することにより容器用保温カバー１の製造が容易になる。
【００３２】
以上のような構成の容器用保温カバー１は、以下のようにして製造される。
まず、シートＳからなる長尺の原反シートを、その幅方向略中央の位置で、印刷層Ｙが外側となり発泡樹脂層Ｚが内側となるように折り畳む。次に、原反シートの折り目側に口部挿通孔５３となる丸孔を形成した後、折り目が内側に形成されるように、更に原反シートを折り込む。この折り込んだ部分がガセット部５となる。そして、原反シートの幅方向及び長手方向を適宜ヒートシールして保温カバー本体２となる領域を形成すると共にそれに連続して底壁部６となる領域を形成する。そして、保温カバー本体２の下端部開口２１となる位置に長手方向に切込みを入れる。そして、図１に示すような容器用保温カバー１の外形形状に裁断することによって容器用保温カバー１が製造される。
【００３３】
こうして製造された容器用保温カバー１は、容器Ｂを保温カバー本体２の下端部開口２１から差し込んでその口部Ｂ１を口部挿通孔５３から上方に突出させるようにして容器Ｂに装着する。具体的には、図４及び図５に示すように、まず、保温カバー本体２の下端部開口２１を開いてそこから容器Ｂを差し込んでいく。そうすると、前後両壁部３，４は容器Ｂに押されて前後に離れ、それに伴ってガセット部５が屈曲した状態から前後に広がり、保温カバー本体２が容器Ｂの形状に合うような筒状となる。そして、容器Ｂの口部Ｂ１をガセット部５の口部挿通孔５３から上方へ突出させた後に、底壁部６で保温カバー本体２の下端部開口２１を閉塞して糊代部６２の離型紙を剥がして糊代部６２を前壁部３に貼り付けることによって、容器用保温カバー１を容器Ｂに装着する。
【００３４】
以上の構成からなる容器用保温カバー１にあっては、容器Ｂに装着していないときには、図１及び図３に示すように、保温カバー本体２を前後に押圧するとガセット部５が保温カバー本体２の内側に屈曲して前後方向に縮むので、容器用保温カバー１は、立体的な形状を維持することなく偏平な形状となる。従って、容器用保温カバー１を容器Ｂに装着しないで持ち運ぶ際には嵩張らず便利である。しかも、シートから構成されているので、例えば、折り曲げて小型化することも容易にできる。
【００３５】
また、容器用保温カバー１は、容器Ｂを保温カバー本体２の下端部開口２１から差し込むと、前後両壁部３，４は容器Ｂに押されて前後に離れ、それに伴ってガセット部５が屈曲した状態から前後に広がり、保温カバー本体２が容器Ｂの形状に合うような筒状となるので、簡易に容器Ｂへの装着作業をすることができる。また、保温カバー本体２が袋状であるので、保温カバー本体２の下端部開口２１を開き、容器Ｂを保温カバー本体２の下端部開口２１から下方に引き抜くことによって、簡単に容器Ｂから取り外すことができる。
【００３６】
更に、図４及び図５に示すように、保温カバー本体２の下端部開口２１から容器Ｂを差し込むと、容器Ｂによって前後両壁部３，４が前後に押し広げられる。これに伴って、保温カバー本体２の内側に屈曲しているガセット部５が前後に引張り力を受けて広がる。そうすると、前後両壁部３，４に作用する引張り力は局部的に集中することなく分散されるので、前後両壁部３，４は局部的に屈曲しにくくなる。また、前後両壁部３，４が局部的に屈曲しにくいと、当然、屈曲は繰り返されにくいので、前後両壁部３，４は屈曲によって疲労しにくくなり破れにくくなる。従って、容器用保温カバー１を容器Ｂに装着した状態での見栄えが良く、しかも、前後両壁部３，４が破れにくいので容器用保温カバー１の保温性を長期間維持することができる。
【００３７】
また、前後両ヒートシール部７は、一定幅を有する帯状である。こうすることにより、図４及び図５に示すように、容器用保温カバー１を容器Ｂに装着した状態で、前後両ヒートシール部７がそれぞれ容器Ｂの形状に沿った滑らかな形状となる。よって、容器用保温カバー１を容器Ｂに装着した状態での見栄えが更に良くなる。
【００３８】
更に、前後両ヒートシール部７の下端縁７１は、上に凸の曲線状となっている。こうすることにより、容器用保温カバー１を容器Ｂに装着したときに、前後両壁部３，４及びガセット部５に作用する引張り力が局部的に集中することなく分散して作用する。従って、容器用保温カバー１を容器Ｂに装着した状態での前後両壁部３，４の局部的な屈曲が効果的に抑制され、より一層見栄えが良くなる。しかも、前後両壁部３，４の局部的な屈曲が効果的に抑制されると、当然に前後両壁部３，４が繰り返し屈曲することも効果的に抑制されるため、前後両壁部３，４がより一層破れにくくなるので、容器用保温カバー１が破損しにくく長期間保温性を維持できる。
【００３９】
また、容器用保温カバー１には、底壁部６に糊代部６２が設けられているので、容器用保温カバー１を容器Ｂに装着するに際し、糊代部６２を前壁部３に貼り付けることによって、容器用保温カバー１を容器Ｂに装着した状態で保温カバー本体２を把持して容器Ｂを持ち上げた際に、保温カバー本体２の下端部開口２１から容器Ｂが抜け落ちてしまうのを防止することができる。
【００４０】
尚、本実施形態では、前後両ヒートシール部７は、一定幅の帯状である場合について説明したが、これに限られず、一定幅でない場合でもよい。例えば、前後両ヒートシール部７の上端縁７２を左右方向に伸びる直線状とし、下端縁７１を上に凸の形状にしてもよい。この場合、前後両ヒートシール部７は、左右両端側ほど上下方向に広く、中央側ほど狭くなるような幅寸法となる。また、帯状に連続していない場合であってもよい。具体的には、図６に示すように、折り目が形成されている領域、即ち、前後両壁部３，４を構成するそれぞれのシートとガセット部５を構成するシートとがそれぞれ連続一体となっている領域についてはヒートシールせず、その左右両側の領域についてのみヒートシールして前後両ヒートシール部７を形成してもよい。この場合、前後両ヒートシール部７は、左右両端部に一対それぞれ形成され、それぞれの前後両ヒートシール部７の下端縁７１は、前後両壁部３，４同士を直接ヒートシールしている部分の上端部から折り目の左右両端部にかけて上に凸の形状となる。但し、一定幅の帯状とすることにより、前後両ヒートシール部７の上端縁７２もその下端縁７１と同様に上に凸の形状となるので、容器用保温カバー１を容器Ｂに装着せずに持ち運ぶ際に、ヒートシールされて硬くなっている前後両ヒートシール部７が角張った形状とならないので安全である。
【００４１】
また、前後両ヒートシール部７は、その上端縁７２が前後両壁部３，４それぞれの上端縁３１，４１に沿わない場合でもよい。即ち、前後両ヒートシール部７の上端縁７２が前後両壁部３，４それぞれの上端縁３１，４１から下方に離間した場合でもよい。
【００４２】
また、本実施形態では、前後両ヒートシール部７の下端縁７１は、円弧状や放物状等のような上に凸の曲線状となっている場合について説明したが、これに限られず、例えば三段形状や四段形状等のような段差形状であってもよい。具体的には両端から左右方向中央へ向けてステップ状に上方に上がった形状である。また、山形形状であってもよい。具体的には左右方向中央部から両端にかけてそれぞれ下方へ向けて傾斜した形状である。但し、上に凸の曲線状とすることにより、容器用保温カバー１を容器Ｂに装着しているときに、前後両壁部３，４やガセット部５が局部的に屈曲するのを効果的に抑制でき、より一層見栄えが良くなる上に、容器用保温カバー１が破損しにくくなる。
【図面の簡単な説明】
【００４３】
【図１】本発明の一実施形態に係る容器用保温カバーを示す正面図。
【図２】図１のＰ−Ｐ線断面図。
【図３】図１のＱ−Ｑ線断面図。
【図４】同容器用保温カバーを容器に装着した状態を示す正面図。
【図５】同容器用保温カバーを容器に装着した状態を示す側面図。
【図６】他の実施形態に係る容器用保温カバーを示す正面図。
【符号の説明】
【００４４】
１…容器用保温カバー、２…保温カバー本体、３…前壁部、４…後壁部、５…ガセット部、６…底壁部、７…ヒートシール部、８…接着剤層、６１…底部、６２…  糊代部、６３…接合部、Ｂ…容器、Ｓ…シート、Ｘ…フィルム、Ｙ…印刷層、Ｚ…      発泡樹脂層
【図１】
2007153357.tif 000003
【図２】
2007153357.tif 000004
【図３】
2007153357.tif 000005
【図４】
2007153357.tif 000006
【図５】
2007153357.tif 000007
【図６】
2007153357.tif 000008